(57)【要約】      （修正有）【課題】鋏型作業工具を簡単に反動ストッパー付工具とするストッパー部品を提供する。【解決手段】柄体の先部に密挿固定する柄装着用筒状部１１、及び柄装着用筒状部の外周面に突設した保持筒部１２を備えた柄装着体１と、保持筒部１２内に装着される圧縮発条２と、圧縮発条によって突出状態で保持筒部内に嵌合される挿入筒部３１、及び挿入筒部先端に設けた衝突面部３２を備えたストッパー体３で構成されるストッパー部品を、既存の作業工具に組み込む。【選択図】図１
0003181788.tif 000002
【実用新案登録請求の範囲】
【請求項１】
二部材を交差させ交差部を枢結して一方を柄挿入部とし、他方を切断刃体や挟持体の作用部としている工具本体における前記柄挿入部を、パイプ柄や丸棒状木柄等の柄体に装着してなる鋏型作業工具に使用する部品であって、柄体先部に密挿固定する柄装着用筒状部、及び前記柄装着用筒状部の外周面に突設した保持筒部を備えた柄装着体と、前記保持筒部内に装着される圧縮発条と、圧縮発条によって突出状態で保持筒部内に嵌合される挿入筒部、及び挿入筒部先端に設けた衝突面部を備えたストッパー体で構成される鋏型作業工具用ストッパー部品。
【請求項２】
保持筒部先端内周面及び挿入筒部の基端外周面に小突条を周設して、ストッパー体装着時の抜け止め抵抗部に形成してなる請求項１記載の鋏型作業工具用ストッパー部品。
【請求項３】
柄装着体を、工具本体を柄体に取り付ける際の柄体口金としてなる請求項１又は２記載の鋏型作業工具用ストッパー部品。
【考案の詳細な説明】
【技術分野】
【０００１】
本考案は、刈込鋏や剪定鋏のように長柄タイプの鋏型作業工具に装着するストッパー部品に関するものである。
【背景技術】
【０００２】
鋏型作業工具は、二部材を交差させ、交差部を枢結し、一方を柄部とし、他方を切断刃体や挟持体の作用部としているものである。
【０００３】
前記のような作業工具においては、特許文献１（実公平１−２５５５６号公報）の第１図に示すように、柄部を閉じた際に柄部を握持している左右の手が互いにぶつからない様にストッパーを設けていたり、作用部を閉じた際に枢結箇所の近傍の重合箇所における表裏部材の顎部が当接（衝突）してストッパー作用をなし、柄部が所定の間隔を維持するようにしている。
【０００４】
また切断作用部を備えている作業工具においては、連続切断に便利なように、開放方向に付勢する発条を備えているものがある。発条としては、渦巻きバネ（特許文献２：実開昭５８−１５８６６６号公報）、板バネ（特許文献３：実公昭６０−１２４８３号公報）、コイルバネ（特許文献４：実開昭６０−７２１４９号公報）等が採用されている。
【０００５】
然し前記した特許文献１のように長柄を備え、両手で操作する作業工具には、切断操作時や挟持操作時に、左右の柄部が所定の間隔を有するようにストッパー作用を発揮する構造を採用する必要があるが、切断操作時や挟持操作時にストッパー作用箇所の衝突の衝撃が手に直接響く。特に連続切断操作に際しては、衝撃が連続してしまうし、ストッパー部位が衝突しないように操作することによって手への衝撃を少なくできるが、切断効率が悪く、必ずしも使い易い工具とはいえない。
【０００６】
また開放方向に付勢する発条を備えている作業工具においては、切断操作後の開放方向移動が発条の付勢力によって開放方向への操作は容易であるが、切断方向の操作においては、当該発条を圧縮する余分な力を必要とするものであり、長柄を備えた鋏型作業工具においては、柄部間への発条の介設は、必ずしも操作性を向上させるとは認められない。
【０００７】
そこで本願出願人は、作用部を全閉した際に枢結軸を中心とした回動が停止するために衝突する部位、例えば柄部の対向面に設けた突部や、枢結箇所の近傍の部材重合箇所において部材衝突箇所となる部位に、適宜なクッション機能及び反発機能を備えた弾性部を設けた工具を提案した（特許文献５，６）。
【０００８】
【特許文献１】実公平１−２５５５６号公報第１図。
【特許文献２】実開昭５８−１５８６６６号公報。
【特許文献３】実公昭６０−１２４８３号公報。
【特許文献４】実開昭６０−７２１４９号公報。
【特許文献５】登録実用新案３１１３２２４号公報。
【特許文献６】登録実用新案３１２３３４３号公報。
【考案の開示】
【考案が解決しようとする課題】
【０００９】
前記した柄における衝突箇所（ストッパー部）は、クッション機能と反発機能を備えさせることで、柄部を握持して所定の開閉操作を行なう際に、衝突部位の衝突によって生じる衝撃を吸収すると共に、同時に弾性部の反発力が開放方向への付勢力となり、開閉操作性が向上するものである。しかし前記した作業工具は、ストッパー部を直接柄に組み込む構成としているために、予めストッパー部を備える専用の柄構造を採用しなければならない。
【００１０】
そこで本考案は、既存の作業工具に多用されているパイプ柄や丸棒状木柄に対して、部品として汎用性を備えた鋏型作業工具用ストッパー部品を提案したものである。
【課題を解決するための手段】
【００１１】
本考案に係る鋏型作業工具用ストッパー部品は、二部材を交差させ交差部を枢結して一方を柄挿入部とし、他方を切断刃体や挟持体の作用部としている工具本体における前記柄挿入部を、パイプ柄や丸棒状木柄等の柄体に装着してなる鋏型作業工具に使用する部品であって、柄体先部に密挿固定する柄装着用筒状部、及び前記柄装着用筒状部の外周面に突設した保持筒部を備えた柄装着体と、前記保持筒部内に装着される圧縮発条と、圧縮発条によって突出状態で保持筒部内に嵌合される挿入筒部、及び挿入筒部先端に設けた衝突面部を備えたストッパー体で構成されるものである。
【００１２】
従って一対の柄体の各先部に柄装着体を密挿固定し、発条及びストッパー体を前記柄装着体の保持筒部に組み込み、常法とおり工具本体の柄挿入部を柄体に連結すると、本考案の部品が組み込まれた作業工具が形成される。この作業工具は、柄体を握持して柄体開閉操作で作用部に所定の仕事（切断や挟持）を行わせ、柄体を閉じ方向に操作し、衝突面部が互いに衝突した際に、圧縮発条の弾性で衝突の衝撃を吸収し、前記の衝突の後の圧縮発条の反発力で柄体が開放方向に付勢されるので開放方向操作がスムーズになされる。
【考案の効果】
【００１３】
本考案は上記のとおり、既存の作業工具に多用されているパイプ柄や丸棒状木柄を備えた工具に対して、ストッパー部品を装着するのみで、手に衝撃を受けることなく、且つ発条の反発力によって連続操作がリズミカルに操作することができるようになる。
【図面の簡単な説明】
【００１４】
【図１】本考案の実施形態の分解斜視図。
【図２】同断面図で（イ）は組み立て前（ロ）は組み立て後を示す。
【図３】同使用状態の説明図（工具組み立て前）。
【図４】同図（工具組み立て後）。
【考案を実施するための形態】
【００１５】
次に本考案の実施形態について説明する、実施形態に示した作業工具は刈込鋏を例としたものである。
【００１６】
実施形態の刈込鋏は基本的に従前のものと同様に、工具本体Ａと柄体Ｂで構成され、工具本体Ａは、二部材を交差させ交差部を枢結（枢結軸０１）して一方を柄挿入部０２とし、他方を作用部（切断刃体）０３としているもので、前記柄挿入部０２を、パイプ柄や丸棒状木柄等の柄体Ｂに装着して刈込鋏（鋏型作業工具）を構成するものである。
【００１７】
本考案に係るストッパー部品は、柄装着体１と圧縮発条２とストッパー体３で構成される。
【００１８】
柄装着体１は、キャップ状に形成して柄体Ｂの先部に被冠して密挿固定する柄装着用筒状部１１と、前記柄装着用筒状部１１の外周面に突設した保持筒部１２を備えており、柄装着用筒状部１１の頂面には、柄挿入部０２を差し入れる長孔１３を穿設したものである。
【００１９】
また前記保持筒部１２の内部には圧縮発条２の装着突部１４を設けると共に、保持筒部１２の先端内周面及に小突条１５を周設してなる。
【００２０】
ストッパー体３は、保持筒部１２内に嵌合され、圧縮発条２が内装される挿入筒部３１、及び挿入筒部３１の先端に設けた衝突面部３２を備え、挿入筒部３１の基端外周面に小突条３３を周設してなる。
【００２１】
而して前記の柄装着体１の保持筒部１２に、圧縮発条２とストッパー体３の挿入筒部３１を圧入装着すると、小突条１５，３３の係合で抜け止め抵抗となり、ストッパー体３は挿入筒部３１が突出状態となって組み込まれ、所定の部品として構成される。
【００２２】
前記のストッパー部品は、柄体Ｂの各先部に柄装着体１を被冠して密挿し、一対の柄体Ｂの開閉対向面にストッパー体３が向き合う様に固定するもので、固定に際しては、接着剤を使用したり必要に応じてビス１６等を使用する。
【００２３】
工具本体Ａは常方とおり柄体Ｂに連結するもので、本考案のストッパー部品を組み込んだ作業工具は、通常通り柄体Ｂの開閉操作で所定の仕事（切断や挟持）を行うもので、柄体Ｂを閉じ方向に操作すると、ストッパー体３の衝突面部３２が互いに衝突し、圧縮発条２を押し込むので、前記の衝突による衝撃は圧縮発条２の弾性で吸収され、更に圧縮発条２の弾性反発力が柄体Ｂを開放方向に付勢するものであるから、開放方向操作がスムーズになされるものである。
【００２４】
特に本考案は前記のストッパー機能を部品として工具に組み込むようにしたものであるから、パイプ柄や棒状木柄を備えた各種の既存工具に対して簡単にストッパー機能を付与することができるものである。
【符号の説明】
【００２５】
１      柄装着体
１１    柄装着用筒状部
１２    保持筒部
１３    長孔
１４    装着突部
１５    小突条
１６    ビス
２      圧縮発条
３      ストッパー体
３１    挿入筒部
３２    衝突面部
３３    小突条
【図１】
0003181788.tif 000003
【図２】
0003181788.tif 000004
【図３】
0003181788.tif 000005
【図４】
0003181788.tif 000006